(57)【特許請求の範囲】
【請求項１】
表示領域が複数の分割表示領域を備え、前記分割表示領域はそれぞれ異なった視点から視ることができ、前記各分割表示領域が少なくとも１つの部分表示領域を有する表示装置と、
前記表示装置全体を制御する制御装置と、
前記分割表示領域およびその分割表示領域中の部分表示領域を示す座標データと、前記制御装置よりの指令で、表示のための同期信号に基づいて指定された前記分割表示領域及び前記部分表示領域への通常表示、入れ替え表示、共通表示に関する表示態様であるファンクションを指定する表示モードデータとを発生するデータ発生部と、
前記表示モードデータおよび前記座標データをデコードするデコーダと、ファンクション信号を発生するファンクション信号発生回路と、前記デコーダで前記表示モードデータおよび前記座標データをデコードすることにより出力された領域毎のファンクション選択信号により背景ならびに前記分割表示領域およびその分割表示領域中の部分表示領域の各領域について前記ファンクション信号を選択するファンクション選択回路と、前記デコーダから出力された座標データを入力して表示領域を指定するための領域期間指定パルスを出力する領域期間指定パルス発生回路と、前記領域期間指定パルスにより背景および前記各領域のいずれかを選択して対応する前記ファンクション信号を出力する領域選択回路と、前記領域選択回路から出力された選択された前記ファンクション信号により複数の入力画像データを選択する画像信号選択回路とを備え、前記複数の入力画像データを、前記分割表示領域のビュー及び、前記分割領域中の前記部分表示領域における前記複数の入力画像データを並び替えて、合成画像として得る並び替え部とを備え、
前記部分表示領域は、タッチパネルセンサ機能を有し、選択された複数の分割表示領域について視聴者に対して表示する共通情報あるいは選択された複数の分割表示領域について前記視聴者に対して表示する共通操作のための表示領域であることを特徴とするマルチビュー表示装置。
【請求項２】
前記表示領域が第１及び第２の分割表示領域を備え、これらの分割表示領域はそれぞれ異なった別々の視点から見ることができ、
前記並び替え部は、外部から別々に入力される第１及び第２の画像データを用いた前記分割表示領域用の画像データの合成を、次の組み合わせ態様、
前記第１の分割表示領域に前記第１の画像データ、前記第２の分割表示領域に前記第２の画像データ、
前記第１の分割表示領域に前記第１の画像データ、前記第２の分割表示領域に前記第１の画像データ、
前記第１の分割表示領域に前記第２の画像データ、前記第２の分割表示領域に前記第２の画像データ、
前記第１の分割表示領域に前記第２の画像データ、前記第２の分割表示領域に前記第１の画像データ、
のいずれかで行うことを特徴とする請求項１に記載のマルチビュー表示装置。
【請求項３】
前記第１の分割表示領域は第１の部分表示領域を有し、前記第２の分割表示領域は第２の部分表示領域を有し、  
前記並び替え部は、外部から別々に入力される第１及び第２の部分画像データを用いた前記分割領域用の画像データの合成を、次の組み合わせ態様、
前記第１の部分表示領域に前記第１の部分画像データ、前記第２の部分表示領域に前記第２の部分画像データ、
前記第１の部分表示領域に前記第１の部分画像データ、前記第２の部分表示領域に前記第１の部分画像データ、
前記第１の部分表示領域に前記第２の部分画像データ、前記第２の部分表示領域に前記第２の部分画像データ、
前記第１の部分表示領域に前記第２の部分画像データ、前記第２の部分表示領域に前記第１の部分画像データ、
のいずれかで行うことを特徴とする請求項２に記載のマルチビュー表示装置。
【請求項４】
領域期間指定パルス発生回路の設定により、選択された前記分割表示領域内に、前記部分表示領域を複数設定することができることを特徴とする請求項１ないし３のいずれかに記載のマルチビュー表示装置。
【請求項５】
複数設定された前記部分表示領域が重なった場合に、その重なった領域を新たな部分表示領域としてそこに前記ファンクションを個々に設定できることを特徴とする請求項４に記載のマルチビュー表示装置。
【請求項６】
表示領域が３以上の分割表示領域に分割され、前記並び替え部は同じ画像データ又は、供給される画像データの任意の入れ替えが、各分割表示領域に対して設定可能であることを特徴とする請求項１に記載のマルチビュー表示装置。
【請求項７】
前記任意の分割表示領域内で、前記部分表示領域に対して同じ画像データ又は供給される画像データの任意の入れ替えによる画像合成が可能であることを特徴とする請求項６に記載のマルチビュー表示装置。
【発明の詳細な説明】
【技術分野】
【０００１】
本発明はマルチビュー表示装置に関する。
【背景技術】
【０００２】
スリットバリア等を用いることにより、１つのディスプレイに複数の視点に対して別々の情報を表示するマルチビュー表示装置が知られている。
【０００３】
典型的な例としてはカーナビゲーションシステムに用いるディスプレイにおいて、運転席から見る情報と助手席から見る情報を異ならせて表示するものがある。この異なる情報としては、例えば、運転者用にはナビゲーションのための地図画像、助手席用にはテレビ画像などを表示させることができる。
【０００４】
このようなデュアルビュー表示装置で、各ビューの中の一部のみ全体とは異なるオブジェクト表示をさせるオンスクリーンディスプレイ（ＯＳＤ）表示を行う場合、複数のビューに対して同じＯＳＤ表示を行う場合もある。この場合、マルチビューディスプレイに複数の画像信号を入力する前に、各ビューの元画像信号に対して事前にオブジェクト画像を合成してからマルチビュー画像処理（並び替え）を行っていた（特許文献１参照）。
【先行技術文献】
【特許文献】
【０００５】
【特許文献１】特開２００７−１１０６１号公報
【発明の概要】
【発明が解決しようとする課題】
【０００６】
しかしながら、このような従来技術のデュアルビュー表示装置では、複数の視点のビューに対してあるいはそれぞれの部分領域に共通のオブジェクト画像を表示させる場合、予め複数の画像ソースに共通のオブジェクト画像を挿入しておく必要があった。
【０００７】
本発明は、デュアルビューをはじめとするマルチビューディスプレイにおいて、各ビューの全体あるいは部分的に異なる画像あるいは同じ画像を、自由度高く表示させることの可能なマルチビューディスプレイを提供することを目的とする。
【課題を解決するための手段】
【０００８】
上記の課題を解決するために、本発明にかかるマルチビュー表示装置は、表示領域が複数の分割表示領域を備え、前記分割表示領域はそれぞれ異なった視点から視ることができ、前記各分割表示領域が少なくとも１つの部分表示領域を有する表示装置と、前記表示装置全体を制御する制御装置と、前記分割表示領域およびその分割表示領域中の部分表示領域を示す座標データと、前記制御装置よりの指令で、表示のための同期信号に基づいて指定された前記分割表示領域及び前記部分表示領域への通常表示、入れ替え表示、共通表示に関する表示態様であるファンクションを指定する表示モードデータとを発生するデータ発生部と、前記表示モードデータおよび前記座標データをデコードするデコーダと、ファンクション信号を発生するファンクション信号発生回路と、前記デコーダで前記表示モードデータおよび前記座標データをデコードすることにより出力された領域毎のファンクション選択信号により背景ならびに前記分割表示領域およびその分割表示領域中の部分表示領域の各領域について前記ファンクション信号を選択するファンクション選択回路と、前記デコーダから出力された座標データを入力して表示領域を指定するための領域期間指定パルスを出力する領域期間指定パルス発生回路と、前記領域期間指定パルスにより背景および前記各領域のいずれかを選択して対応する前記ファンクション信号を出力する領域選択回路と、前記領域選択回路から出力された選択された前記ファンクション信号により複数の入力画像データを選択する画像信号選択回路とを備え、前記複数の入力画像データを、前記分割表示領域のビュー及び、前記分割領域中の前記部分表示領域における前記複数の入力画像データを並び替えて、合成画像として得る並び替え部とを備え、前記部分表示領域は、タッチパネルセンサ機能を有し、選択された複数の分割表示領域について視聴者に対して表示する共通情報あるいは選択された複数の分割表示領域について前記視聴者に対して表示する共通操作のための表示領域であることを特徴とする。
【発明の効果】
【０００９】
本発明によれば、マルチビューのために表示領域を分割して、それぞれ異なった視点から見ることができるように種々の情報を表示させる場合に、各分割表示領域に異なる画像や共通の画像を表示させ、あるいは入れ替えて表示させることができると共に、各分割表示領域中の部分表示領域に異なる画像や共通の画像を表示させ、あるいは入れ替えて表示させるようなことがきわめて容易かつフレキシブルに行え、操作の簡便性と利便性を得ることができる。
【図面の簡単な説明】
【００１０】
【図１】従来技術にかかるマルチビュー表示装置の一例を比較のために示すブロック図である。
【図２】本発明の基本構成を示すブロック図である。
【図３】図２の構成中の並び替え部の構成を詳細に説明するブロック図である。
【図４】ファンクション信号発生回路で発生される、表示モードを指定するファンクション信号の詳細を示す図表である。
【図５】領域指定信号で指定される標準領域を示す説明図である。
【図６】領域指定信号で指定される帯状領域を示す説明図である。
【図７】領域指定信号で指定されるスプリットされた領域を示す説明図である。
【図８】領域指定信号で指定されるスプリットされた帯状領域を示す説明図である。
【図９】領域指定信号で指定されるコーナ部領域を示す説明図である。
【図１０】本発明の実施例で用いられる液晶表示装置の画素配列を示す図である。
【図１１】分割画面の分割パターン図であって、図１０に示した配置において、右側の分割画面（Ｒ）と左側の分割画面（Ｌ）とで画素を振り分けた配置図である。
【図１２】本願発明にかかるマルチビュー表示装置の動作例のうち、領域期間指定信号と画像信号入力を示すタイミングチャートである。
【図１３】ファンクション信号入力による図１２の画像信号入力の合成の様子を示す説明図である。
【図１４】画像信号選択回路制御信号により図１３に示すようにファンクションが切り替わることにより最終的に得られる合成された画像信号出力を示す説明図である。
【図１５】従来のデュアルビュー表示装置をカーナビゲーション装置に適用した場合の表示画面例である。
【図１６】図１５において本発明を適用した場合の例を示す表示画面例である。
【図１７】部分表示領域が重なった場合に重なった部分を新たな部分表示領域として扱うことを示す説明図である。
【図１８】３方向のビュー表示が可能なマルチビューディスプレイにおいて行われる、種々の表示例を示す説明図である。
【発明を実施するための形態】
【００１１】
以下、本発明の実施の形態について、詳細に説明するが、最初に比較のために特許文献１に記載された従来技術での表示方法について述べる。
【００１２】
この従来技術によるマルチビュー表示装置は、テレビ画像出力部１０，地図画描画チップ１１が画像情報発生部として設けられている。さらに異なる種類の画像情報発生部を設けても良いが、ここでは簡略化のために２つの場合を示している。テレビ画像出力部１０は受信した放送画像、ＤＶＤやＨＤＤに記録された画像を出力する。地図画描画チップ１１は、カーナビゲーション機能をはじめとしてディスプレイ装置全体の制御を行うマイクロコンビュータ１４からの指令により必要な地図画を出力する。
【００１３】
テレビ画像出力部１０および地図画描画チップ１１からの画像はスイッチ１２に入力され、選択された一方の画像が並び替え部１３に送出される。地図画描画チップ１１の出力とマイクロコンビュータ１４からの色に関する比較値は比較器１５により比較され、その比較出力ＶＳＷが「ハイ」であるときは同じ色であることを表し、これが供給されるスイッチ１２は地図画描画チップ１１からの画像を選択して並び替え部１３に送出する。比較出力ＶＳＷが「ロウ」であるときには異なる色であることを表すため、スイッチはテレビ画像出力部１０からの画像を選択して並び替え部１３に送出する。
【００１４】
並び替え部１３には地図画描画チップ１１からの画像も直接入力され、１行の副画素毎にテレビ画像出力部１０からの画像と地図画描画チップ１１からの画像とを交互に並べる。
【００１５】
したがって、地図画描画チップ１１からの画像はシングルビューとしての表示もデュアルビューとしての表示も可能であるが、テレビ画像出力部１０からの画像はシングルビューとしての表示のみが可能である。なお、並び替え部１３の制御により、左右の表示内容を入れ替えることは可能である。
【００１６】
また、オンスクリーン表示のためのオブジェクトデータはマイクロコンビュータ１４内のメモリにから描画チップ１１にデータが供給される。
【００１７】
このような手法では、画像の色を判断することにより共有させたいオンスクリーン表示のためのオブジェクトを選択できるだけであり、デュアルビューの場合に両視方向にテレビ画像を表示させることができない他、オンスクリーン表示についてもナビ側からテレビ側への一方通行のＯＳＤ表示しかできないなど種々の制約が生じ、表示の自由度が低いという問題がある。
【００１８】
図２は本発明にかかるマルチビュー表示装置の基本的な構成を示すブロック図である。
【００１９】
このマルチビュー表示装置は、表示領域を２つに分割し、各分割表示領域を２方向の視点から視ることのできるデュアルビュー表示装置となっており、２チャンネルの画像入力を用い、各分割表示領域に左右２画面を表示できる他、各分割表示領域中の部分表示領域を任意に指定して表示パラメータを指定できるものである。全体の制御を行う制御信号および並び替えに必要なデータを並び替え部５に対して出力する制御部およびデータ発生部としてのマイクロコンピュータ１、チャネルＡ（ＣＨ．Ａ）の画像信号Ａとその同期信号Ａを発生し、並び替え部５に対して出力する画像ソース（１）２、チャネルＢ（ＣＨ．Ｂ）の画像信号Ｂとその同期信号Ｂを発生し、画像同期回路４に対して出力する画像ソース（２）３、並び替え部５、この並び替え部５で得られた同期信号Ｃと画像信号Ｃが供給されるマルチビューディスプレイ６を有している。なお、これらの画像信号（Ａ，Ｂ）はオンスクリーンディスプレイ（ＯＳＤ）のための情報を少なくともどちらか一方に予め含んでいる。
【００２０】
マイクロコンピュータ１から並び替え部５に供給されるデータは、各ビューの表示領域に対しどの画像信号を割り当てるかを指定する表示モードデータとしてのファンクション選択データ、表示領域を特定するためのＸ座標およびＹ座標の開始および終了の領域座標データである。この領域は、表示されるＯＳＤ情報領域を含む。
【００２１】
画像同期回路４は２つの同期信号Ａ，Ｂのうちの片方（例えば同期信号Ａ）を基準としてもう一方の同期信号を同期させ、この同期信号により画像信号（Ｂ）を同期させて並び替え部５に供給する。
【００２２】
図３は並び替え部５の構成を詳細に示すブロック図である。
【００２３】
マイクロコンピュータ１からのファンクション選択データおよび領域座標データはデコーダ回路５１に入力され、同様にマイクロコンピュータ１から供給された制御信号によりデータがデコードされ、背景および各領域のファンクション選択データがファンクション選択回路５３に送出され、領域座標データは領域期間指定パルス発生回路５４に送られ、ここで領域１−Ｎに対する領域期間指定信号として領域選択回路５５に送出される。
【００２４】
同期信号Ａはデコーダ回路５１、ファンクション信号発生回路５２に制御信号の同期のため送られる他、タイミング安定化のためのフリップフロップＦＦ５７を介して同期信号Ｃとしてマルチビューディスプレイ６に対して送出される。
【００２５】
ファンクション信号発生回路５２では右側画面と左側画面に表示される画像チャンネルを表すファンクション信号を出力する。
【００２６】
図４はファンクション信号発生回路５２により出力されるファンクション、すなわち表示モードの種類の指定を示している。ファンクション１は左画面に画像信号Ａ（ＣＨＡ）、右画面に画像信号Ｂ（ＣＨＢ）を表示する基本のデュアルビュー態様、ファンクション２は左画面に画像信号Ａ（ＣＨＡ）、右画面にも画像信号Ａ（ＣＨＡ）、すなわち左側の画像を表示するシングルビュー態様、ファンクション３は左画面に画像信号Ｂ（ＣＨＢ）、右画面にも画像信号Ｂ（ＣＨＢ）を表示するシングルビュー態様、ファンクション４は左画面に画像信号Ｂ（ＣＨＢ）、右画面に画像信号Ａ（ＣＨＡ）を表示する、左右の画像を入れ替え（スワップ）させたデュアルビュー態様である。
【００２７】
図３に戻ると、これらのファンクション信号は、ファンクション選択回路５３に与えられる。ファンクション選択回路５３には、背景および各領域のファンクションを選択する選択回路５３０〜５３Ｎが設けられ、これらはファンクション信号発生回路５２から送出された４つのファンクションの一つを選択するスイッチとなっている。
【００２８】
選択回路５３０〜５３Ｎの出力は、領域選択回路５５の対応するスイッチＳＷ５５０〜５５Ｎに入力されているが、これらのスイッチは領域期間指定パルス発生回路５４から出力された対応する領域期間指定信号によりオンオフされる。領域指定がされていない背景部分の表示については、初期値としてスイッチＳＷ５５０による制御を行うことになる。
【００２９】
図５〜図９は領域指定パルスによりどのように領域が指定されるかを示す模式図である。
【００３０】
全体枠を表示画面（右画面及び左画面）とした場合、表示領域は長方形として指定されるものとする。標準では図５に示されるように、左上の座標と右下の座標とを指定することにより領域が特定される。
【００３１】
図６（ａ）および図６（ｂ）の場合は画面全体に亘る帯状領域を指定する場合で、図６（ａ）では画面の上端ラインと下端ライン上でそれぞれ開始、終了のＸ座標を与えることでＹ方向帯状領域が指定でき、図６（ｂ）では画面の左端ラインと右端ライン上でそれぞれ開始、終了のＹ座標を与えることで、Ｘ方向帯状領域を指定できる。
【００３２】
図７および図８は画面の左右あるは上下に領域が分かれているいわゆるスプリットの形態の領域指定の様子を示している。
【００３３】
図７（ａ）は画面の左右側の領域全部が指定される場合であり、左側領域の下端ライン上の最右点のＸ座標を終了点、右側領域の上端ライン上の最左点のＸ座標を開始点とする。図７（ｂ）は画面の上下の領域全部が指定される場合であり、上側領域の下端ラインにおける右端ライン上のＹ座標を終了点、下側領域の上端ラインにおける左端ライン上のＹ座標を開始点とする。
【００３４】
図８（ａ）は左右に領域が分割されるものの高さは中間領域である場合であり、左右の領域の上端ラインと下端ラインは同じであることを利用して、左側領域の下端ライン右端点を終了点、右側領域の上端ラインの左端点を開始点とする。同様に図８（ｂ）は左右に領域が分割されるものの横方向には中間領域である場合であり、上下の領域の左端ラインと右端ラインが同じであることを利用して、上側領域の右端ライン下端点を終了点、下側領域の左端ラインの上端点を開始点とする。
【００３５】
図９は画面の各コーナ部に領域が指定される場合で、２つの上側領域の下端ライン、２つの下側領域の上端ライン、２つの左側領域の右端ライン、２つの右側領域の左端ラインはそれぞれ共通であるものとする。このような前提であれば、図９に示すように左上領域の右下点を終了点、右下領域の左上点を開始点として指定することで４つのコーナ領域を指定することができる。
【００３６】
図１０は液晶表示装置における画素配置を示す模式図であって、赤（Ｒ）、緑（Ｇ）、青（Ｂ）がストライプ状に配置され、これが横方向にも繰り返される画素配置となっている。
【００３７】
図１１は図１０の画素配置に対応する分割パターン図であって、このパターンは、左側の分割画面用の部分Ｌと右側の分割画面用の部分Ｒが縦および横方向に交番するように配置されている。
【００３８】
したがって、本願発明における画面の分割とは、同じ表示画面を画素単位又は副画素単位で分割し、分割された画面についてそれぞれ異なる視点からの視認を可能にすることを言う。
【００３９】
以下、本発明の実施例の動作を図３および図１２〜図１４を参照して説明する。
【００４０】
ここでは、図１２に示すように、図３の領域期間指定パルス発生回路５４から発生される領域期間指定信号は、領域１期間はスワップファンクション、領域２期間は左ファンクション、領域３期間は右ファンクション、領域指定がない期間は通常のデュアルファンクションとし、ファンクション信号発生回路５２から発生したファンクション信号の一つが領域に応じて選択回路５３０〜５３Ｎにより選択される。
【００４１】
ファンクション選択回路５３０〜５３Ｎの各スイッチの出力は、領域選択回路５５の対応するスイッチＳＷ５５０〜５５Ｎに入力されているが、これらのスイッチＳＷ５５０〜５５Ｎは領域期間指定パルス発生回路５４から出力された対応する領域期間指定信号により、図１２に示すように順次オンオフされる。領域指定がされていない背景部分の表示については、初期値としてスイッチＳＷ５５０による制御を行うことになる。
【００４２】
図１２に示すような画像信号がチャネルＡおよびチャネルＢに与えられているので、領域期間指定信号により選択された期間、ファンクションに応じて画像信号ＡおよびＢのいずれかが選択され、タイミング安定化のためのフリップフロップＦＦ５８を介して画像信号Ｃとしてマルチビューディスプレイ６に対して送出される。
【００４３】
図１３は各ファンクションにより、チャネルＡとＢのＲＧＢ信号がどのように合成されるかを示している。図１３から明らかなように、左ファンクションのときにはすべてチャネルＡの信号、右ファンクションのときにはすべてチャネルＢの信号、デュアルファンクションおよびスワップファンクションのときには半周期ごとにチャネルＡとＢの信号が交互に取り出されるが、デュアルファンクションとスワップファンクションでは選択される信号がチャネルＡとＢ間で交換されたものとなっている。
【００４４】
なお、図１３に示されているように、ファンクション信号に対して、実際の出力信号はタイミング調整用がされて１ピクセル分遅れたものとなっている。
【００４５】
図１４は、入力された画像信号選択回路制御信号により最終的に合成された画像信号出力とを比較して説明している。これは図３に示す矢印にしたがって、それぞれのファンクションにおける合成出力を順次選択した結果である。
【００４６】
このように、マイクロコンピュータ１から出力された制御信号、領域座標データ、ファンクション選択データにより、２つの画像ソース２，３から出力された画像信号Ａ、Ｂを左右の分割画面（以下単に左右の画面と称することがある）にそれぞれの背景を、ファンクション設定にしたがって表示させた上で、どちらか一方の画面の任意の一部（部分表示領域）にある共有させたいオブジェクトの領域を、オブジェクトの位置に従って自由な位置に配置できるだけでなく、さらにそのオブジェクト自体もそれぞれのファンクション設定にしたがって自由度高く表示形態を選択できることによって、種々の組み合わせ態様で自由度高く表示させることができる。
【００４７】
具体的には片方の画像信号にしか存在しない渋滞情報を左右の画面の特定部分表示領域に同時に表示したり、同じくテレビのチャンネル選択ボタンを左右の画面の特定部分表示領域に表示したり、左右の画面にカーナビゲーション画像を表示したりすることが可能となる。また、指定部分表示領域にＯＳＤ情報を表示させることも柔軟に対応できる。さらに、このようなＯＳＤ表示領域にタッチセンス機能を与えることにより操作性を向上させることができる。
【００４８】
図１５〜図１８に左右の画面に画像を表示した例を示す。前述したように、左右の画面は同じ表示画面をそれぞれ異なる視点から見たものであるが、以下の各図においては、理解を容易にするため、右側の視点から見える右画面を右側に、左側の視点から見える左画面を左側に配置して図示することとする。
【００４９】
図１５は比較例としての従来のデュアルビューの表示例、図１６は本願発明によるデュアルビューの表示例である。この例では左ハンドル仕様のナビゲーションシステムを用いたものであり、カーナビゲーション画像は左側画面、テレビ画像は右側画面に表示されたものについて比較する。
【００５０】
従来例では渋滞情報がカーナビゲーション画像が表示された画面の上部の部分表示領域にのみ表示される一方、テレビ音声のボリューム調整のためのタッチスイッチはテレビ画像が表示された画面の下部の部分表示領域にのみ表示されている図１５（ａ）の状態から、図１５（ｂ）のように、渋滞情報を表示する部分表示領域のみオブジェクト画像を共有することができる。
【００５１】
これに対し、図１６に示す本願発明を適用したデュアルビュー表示装置では、例えば渋滞情報は運転席、助手席のいずれにとっても必要な情報でもあることから、渋滞情報を表示する部分表示領域についてファンクション選択回路５３においてファンクション２を、テレビ音声のボリューム調整を表示する部分表示領域についてはファンクション３を選択することにより、これら２つのオブジェクトを、図１６（ａ）の様に、左右の分割表示領域にそれぞれ設けられた部分表示領域に共通に表示させることができる。また、図１６（ｂ）の様に、反対側の画像を確認する目的で、画像の選択を示すオブジェクト画像をスワップにより、左右入れ替えて表示することもできる。
【００５２】
また、部分表示領域は各分割表示領域内の任意の範囲を設定できるため、部分表示領域の範囲が重なる場合もある。このような場合、重なった範囲を新たな部分表示領域として、その領域だけ別の機能選択表示をさせることもできる。例えば図１７の様に４個の部分表示領域（ａｂ、ｃｄ、ｅｆ、ｇｈ）の指定が可能なマルチビューディスプレイにおいて、ａｂ＋ｃｄ、ａｂ＋ｅｆなどの、２つの部分表示領域指定の重なり領域が発生した場合、その重なり範囲のみに、共通のオブジェクトを表示させることもできる。同様に、３つの重なり（ａｂ＋ｃｄ＋ｅｆ）、４つの重なり（ａｂ＋ｃｄ＋ｅｆ＋ｇｈ）などの部分領域に選択的に別の機能表示をさせることも、複数の領域指定信号のＡＮＤ、ＯＲ、ＥＸＯＲなどのパルスを作る事により、容易に可能である。
【００５３】
その他、画面全体を共通の画面にしたり、入れ替えたりすることもファンクションの選択により容易に可能となる。これらの機能は、部分選択表示Ｐａｒｔｉａｌ  Ｓｅｌｅｃｔｅｄ  Ｖｉｅｗ  （ＰＳＶ）と称される。
【００５４】
例えば、画面が第１及び第２の分割表示領域、すなわち、左と右、に分割される。これらの分割表示領域はそれぞれ異なった別々の視点から見ることができる。図１４の場合と同様に、図２の並び替え部５は、外部から別々に入力される第１及び第２の画像データ（例えばナビゲーション用の画像信号Ａとテレビ用の画像信号Ｂ）を用いて分割表示領域用の画像データの合成を、次の組み合わせ態様、  
前記第１の分割表示領域に前記第１の画像データ、前記第２の分割表示領域に前記第２の画像データ、  
前記第１の分割表示領域に前記第１の画像データ、前記第２の分割表示領域に前記第１の画像データ、  
前記第１の分割表示領域に前記第２の画像データ、前記第２の分割表示領域に前記第２の画像データ、  
前記第１の分割表示領域に前記第２の画像データ、前記第２の分割表示領域に前記第１の画像データ、  
のいずれかで行う。
【００５５】
他の実施例では、第１の分割表示領域は第１の部分表示領域を有し、第２の分割表示領域は第２の部分表示領域をその中に有する。並び替え部５は、外部から別々に入力される第１及び第２の部分画像データ（例えば渋滞情報用の画像信号Ａとボリュームボタン用の画像信号Ｂ）を用いて分割表示領域用の画像データの合成を、次の組み合わせ態様、  
前記第１の部分表示領域に前記第１の部分画像データ、前記第２の部分表示領域に前記第２の部分画像データ、  
前記第１の部分表示領域に前記第１の部分画像データ、前記第２の部分表示領域に前記第１の部分画像データ、  
前記第１の部分表示領域に前記第２の部分画像データ、前記第２の部分表示領域に前記第２の部分画像データ、  
前記第１の部分表示領域に前記第２の部分画像データ、前記第２の部分表示領域に前記第１の部分画像データ、  
のいずれかで行う。
【００５６】
以上の実施例ではデュアルビューについて例示したが、さらに視方向の多いマルチビューにおいても本発明を同様に適用することができる。この場合、複数のビューから、いくつかを選択して、オブジェクトのファンクション設定をすることもできる。
【００５７】
例えば、車内において、図１８（ａ）の様な、運転席（左）、助手席（右）、後席（中央）の３方向のビューにそれぞれカーナビゲーション画像、カメラ画像、テレビ画像などの別々の表示が可能なマルチビューディスプレイにおいて、図１８（ｂ）の様に運転席及び助手席の２つのビューに運転席用のカーナビゲーションの地図画像を表示させることもできる。勿論、図１８（ｃ）のように、３方向に同じカーナビゲーションの地図表示をさせることもできる。更に、図１８（ｄ）の様に、各ビューの表示入れ替えも自由に可能となる。この場合には運転席（左）にカメラ、助手席（右）にテレビ、後席（中央）にカーナビゲーション用の地図画像を表示している。
【００５８】
また、音声制御を車内全ての人に共通の操作とするため、図１８（ｅ）の様に、中央のビューであるテレビ画像の中の部分表示領域であるボリュームアップ、ボリュームダウンを３方向のビューで共有することもできる。図１８（ｆ）の様に、中央を除く左右のビューのみに、渋滞情報を表示させることもできる。また、図１８（ｇ）の様に、左右のビューの同じ部分表示領域にある表示状態の「ナビ」及び「カメラ」の表示を、お互いの画像の確認のため、相手の画像の中に入れ替えて表示させることもできる。
【産業上の利用可能性】
【００５９】
本発明は、視聴者が複数存在し、種々の情報を表示する必要のあるカーナビゲーション装置をはじめ１つの画面で複数情報を同時に表示することが要求される用途に広く用いることができる。
【符号の説明】
【００６０】
１    マイクロコンピュータ
２  画像ソース１
３  画像ソース２
４  画像同期回路
５  並び替え部
５  マルチビュー表示装置
５１  デコーダ回路
５２  ファンクション信号発生回路
５３  ファンクション選択回路
５３０  背景のファンクション信号選択回路
５３１  指定領域１のファンクション信号選択回路
５３Ｎ  指定領域Ｎのファンクション信号選択回路
５５  領域選択回路
５６  画像信号選択回路
５７，５８  フリップフロップ回路
【図１】
0005455042.tif 000002
【図２】
0005455042.tif 000003
【図３】
0005455042.tif 000004
【図４】
0005455042.tif 000005
【図５】
0005455042.tif 000006
【図６】
0005455042.tif 000007
【図７】
0005455042.tif 000008
【図８】
0005455042.tif 000009
【図９】
0005455042.tif 000010
【図１０】
0005455042.tif 000011
【図１１】
0005455042.tif 000012
【図１２】
0005455042.tif 000013
【図１３】
0005455042.tif 000014
【図１４】
0005455042.tif 000015
【図１５】
0005455042.tif 000016
【図１６】
0005455042.tif 000017
【図１７】
0005455042.tif 000018
【図１８】
0005455042.tif 000019